(57)【特許請求の範囲】
【請求項１】
利用者が所有する携帯端末と、該携帯端末と通信するサーバとからなり、前記サーバから利用者の携帯端末に当該利用者の将来の目的地を通知するナビゲーションシステムであって、
前記携帯端末は、
利用者の年齢、性別、嗜好、利用者の行動の目的等の利用者情報を入力する入力手段と、
前記入力手段によって入力された利用者情報を前記サーバに送信する第１の送信手段と、
前記サーバから送信された目的地への案内情報を受信する第１の受信手段と、
前記受信した目的地への案内情報を表示する表示手段と、を備え、
前記サーバは、
予め複数の目的地と、各目的地毎に当該目的地に適する利用者の年齢、性別、嗜好、利用目的、及び目的地の位置等の目的地情報とを関連付けて記憶する記憶手段と、
前記携帯端末から利用者情報を受信する第２の受信手段と、
利用者の現在位置を取得する位置情報取得手段と、
前記受信した利用者情報、前記取得した利用者の現在位置、及び前記記憶手段に記憶されている目的地情報に基づいて、前記記憶手段から前記受信した利用者情報を有する利用者に適した目的地を選出する処理手段であって、前記利用者情報内の利用者の年齢、性別、嗜好、利用者の行動の目的等と、前記目的地情報内の目的地に適する利用者の年齢、性別、嗜好、利用目的等とから利用者最適度評価を目的地別に算出し、前記利用者の現在位置と前記目的地情報内の目的地の位置から移動距離に対する評価を含む環境最適度評価を目的地別に算出し、これらの最適度評価を総合評価した評価値から利用者に適した目的地を選出する処理手段と、
前記選出した目的地の位置と前記取得した利用者の現在位置とに基づいて前記目的地への経路、行き方等の案内情報を生成する手段と、
前記生成した目的地に案内する案内情報を利用者の携帯端末に送信する第２の送信手段と、
を備えたことを特徴とするナビゲーションシステム。
【請求項２】
前記処理手段は、複数の目的地が選出された場合に、目的地側がサーバ側に支払う利用料金の額に応じて、前記複数の目的地の中から所定の目的地を選出することを特徴とする請求項１のナビゲーションシステム。
【請求項３】
前記位置情報取得手段は、前記携帯端末が存在する位置の情報から利用者の現在位置を取得することを特徴とする請求項１又は２のナビゲーションシステム。
【請求項４】
前記サーバは、各目的地毎に該目的地の気象情報又は目的地までの交通手段の混雑度を示す交通情報を含む環境情報を逐次取得する手段を含み、
前記記憶手段は、前記取得された最新の環境情報を各目的地毎に記憶し、
前記処理手段は、前記記憶手段から利用者に適した目的地を選出する条件の１つとして、前記記憶手段に記憶されている最新の環境情報を使用することを特徴とする請求項１乃至３のいずれか１に記載のナビゲーションシステム。
【請求項５】
各目的地には、前記サーバと通信する目的地の端末が設けられており、
前記目的地の端末は、目的地とともに目的地情報を前記サーバに送信する第３の送信手段を備え、
前記サーバは、前記送信された前記目的地及び目的地情報を受信する第３の受信手段を備え、
前記記憶手段は、前記第３の受信手段が受信した前記目的地情報を目的地に関連づけて記憶することを特徴とする請求項１乃至４のいずれか１に記載のナビゲーションシステム。
【請求項６】
前記処理手段は、前記位置情報取得手段によって取得した利用者の現在位置に基づいて当該利用者が所定の時間帯に前記選出した目的地と異なった目的地に存在する場合には、新たに目的地を選出するリルート機能を備えたことを特徴とする１乃至５のいずれか１に記載のナビゲーションシステム。
【請求項７】
前記入力手段は、利用者が利用した目的地の感想を入力する機能を備え、
前記記憶手段は、前記入力された感想情報に基づいて、前記目的地情報に含まれる目的地の評価情報を更新することを特徴とする請求項１乃至６のいずれか１に記載のナビゲーションシステム。
【請求項８】
利用者が所有する携帯端末と、該携帯端末と通信するサーバとからなり、前記サーバから利用者の携帯端末に当該利用者の将来の目的地を通知するナビゲーションシステムに適用されるサーバであって、
前記サーバは、
予め複数の目的地と、各目的地毎に当該目的地に適する利用者の年齢、性別、嗜好、利用目的、及び目的地の位置等の目的地情報とを関連付けて記憶する記憶手段と、
前記携帯端末から利用者の年齢、性別、嗜好、利用者の行動の目的等の利用者情報を受信する受信手段と、
利用者の現在位置を取得する位置情報取得手段と、
前記受信した利用者情報、前記取得した利用者の現在位置、及び前記記憶手段に記憶されている目的地情報に基づいて、前記記憶手段から前記受信した利用者情報を有する利用者に適した目的地を選出する処理手段であって、前記利用者情報内の利用者の年齢、性別、嗜好、利用者の行動の目的等と、前記目的地情報内の目的地に適する利用者の年齢、性別、嗜好、利用目的等とから利用者最適度評価を目的地別に算出し、前記利用者の現在位置と前記目的地情報内の目的地の位置から移動距離に対する評価を含む環境最適度評価を目的地別に算出し、これらの最適度評価を総合評価した評価値から利用者に適した目的地を選出する処理手段と、
前記選出した目的地の位置と前記取得した利用者の現在位置とに基づいて前記目的地への経路、行き方等の案内情報を生成する手段と、
前記生成した目的地に案内する案内情報を利用者の携帯端末に送信する送信手段と、
を備えたことを特徴とするサーバ。
【請求項９】
前記処理手段は、複数の目的地が選出された場合に、目的地側がサーバ側に支払う利用料金の額に応じて、前記複数の目的地の中から所定の目的地を選出することを特徴とする請求項８のサーバ。
【請求項１０】
前記位置情報取得手段は、前記携帯端末が存在する位置の情報から利用者の現在位置を取得することを特徴とする請求項８又は９のサーバ。
【請求項１１】
各目的地毎に該目的地の気象情報又は目的地までの交通手段の混雑度を示す交通情報を含む環境情報を逐次取得する手段を含み、
前記記憶手段は、前記取得された最新の環境情報を各目的地毎に記憶し、
前記処理手段は、前記記憶手段から利用者に適した目的地を選出する条件の１つとして、前記記憶手段に記憶されている最新の環境情報を使用することを特徴とする請求項８乃至１０のいずれか１に記載のサーバ。
【請求項１２】
前記処理手段は、前記位置情報取得手段によって取得した利用者の現在位置に基づいて当該利用者が前記選出した目的地に達したことを検知すると、次の目的地を選出し、
前記案内情報を生成する手段は、前記次の目的地への案内情報を生成し、
前記送信手段は、前記生成した次の目的地に案内する案内情報を利用者の携帯端末に送信することを特徴とする請求項８乃至１１のいずれか１に記載のサーバ。
【発明の詳細な説明】
【０００１】
【発明の属する技術分野】
本発明は、ナビゲーションシステム及びサーバに係り、特に利用者の将来の目的地又は経路を通知するナビゲーションシステム及びサーバに関する。
【０００２】
【従来の技術】
従来、旅行の工程やデートコースを予め調査する場合には、ガイドブックやタウン情報誌を参考にして、希望又は予想されるシチュエーションに対応した観光場所や飲食店、道順等を決めていた。
【０００３】
また、インターネットを用いた検索情報から携帯電話やＰＨＳ等で取得する位置情報をサービス側が受信し、利用者の居る場所に対応した情報やメニューをリアルタイムで提供するサービスが知られている。
【０００４】
【発明が解決しようとする課題】
しかしながら、ガイドブック、タウン情報誌、旅行案内及びデートコース案内等の資料を参考にして観光場所や道順を調査する場合には、これらのガイドブック等の情報は陳腐化した過去の古い情報であるため、その時に応じたリアルタイムの情報までは知ることができない。したがって、実際に行ってみると状況が変化しており、思ったような旅行にならないという不具合を生じていた。また、これらのガイドブック等の情報は決め打ちのプリセット情報であり、利用者の気分や希望に合致した情報でない場合が多いという不具合を生じていた。
【０００５】
また、インターネットを用いた検索情報を受信する方法でも、利用者の居る場所に対応した情報やメニューをリアルタイムにて得られる可能性はあるものの、それぞれが独立した情報であり、このばらばらな単一情報の集合であって何の関連付けもされていない情報を利用者自身が選択してつなぎ合わせる必要がある。すなわち、各場所の点情報を利用者がルート情報と時間情報とを組み合わせて計画をたてる必要があった。
【０００６】
したがって、工程やサービスの組み立ては利用者自身が考えなければならず、利用者が行き先情報やルート情報についてある程度予め知識を持っていないと、工程やサービスをうまく組み立てることができないという不具合を生じていた。更に、現在の場所に対応した現在の情報が得られても行き先の現在の情報を得ることができないという不具合を生じていた。
【０００７】
本発明は、このような事情に鑑みてなされたもので、利用者が携帯端末に目的地や目的行為を入力すると、次々に目的地及び行動指示を利用者に対して通知するナビゲーションシステム及びサーバを提供することを目的としている。
【０００８】
【課題を解決するための手段】
前記目的を達成するために請求項１に係る発明は、利用者が所有する携帯端末と、該携帯端末と通信するサーバとからなり、前記サーバから利用者の携帯端末に当該利用者の将来の目的地を通知するナビゲーションシステムであって、前記携帯端末は、利用者の年齢、性別、嗜好、利用者の行動の目的等の利用者情報を入力する入力手段と、前記入力手段によって入力された利用者情報を前記サーバに送信する第１の送信手段と、前記サーバから送信された目的地への案内情報を受信する第１の受信手段と、前記受信した目的地への案内情報を表示する表示手段と、を備え、前記サーバは、予め複数の目的地と、各目的地毎に当該目的地に適する利用者の年齢、性別、嗜好、利用目的、及び目的地の位置等の目的地情報とを関連付けて記憶する記憶手段と、前記携帯端末から利用者情報を受信する第２の受信手段と、利用者の現在位置を取得する位置情報取得手段と、前記受信した利用者情報、前記取得した利用者の現在位置、及び前記記憶手段に記憶されている目的地情報に基づいて、前記記憶手段から前記受信した利用者情報を有する利用者に適した目的地を選出する処理手段であって、前記利用者情報内の利用者の年齢、性別、嗜好、利用者の行動の目的等と、前記目的地情報内の目的地に適する利用者の年齢、性別、嗜好、利用目的等とから利用者最適度評価を目的地別に算出し、前記利用者の現在位置と前記目的地情報内の目的地の位置から移動距離に対する評価を含む環境最適度評価を目的地別に算出し、これらの最適度評価を総合評価した評価値から利用者に適した目的地を選出する処理手段と、前記選出した目的地の位置と前記取得した利用者の現在位置とに基づいて前記目的地への経路、行き方等の案内情報を生成する手段と、前記生成した目的地に案内する案内情報を利用者の携帯端末に送信する第２の送信手段と、を備えたことを特徴としている。
即ち、利用者の携帯端末から該利用者の年齢、性別、嗜好、利用者の行動の目的等の利用者情報をサーバに送信すると、サーバは、受信した利用者情報及び利用者の現在位置に適した目的地を前記記憶手段から自動的に選出し、その目的地に案内する案内情報を利用者の携帯端末を送信する。これにより、利用者は、サーバから受け取る案内情報に基づいて行動するだけで利用者に適した目的地に到達することができる。
請求項２に示すように請求項１に記載のナビゲーションシステムにおいて、前記処理手段は、複数の目的地が選出された場合に、目的地側がサーバ側に支払う利用料金の額に応じて、前記複数の目的地の中から所定の目的地を選出することを特徴としている。複数の目的地が選出された場合には、目的地側がサーバ側に支払う利用料金の額に応じて目的地を選出する際の優先順位を付けるようにしている。
請求項３に示すように請求項１又は２に記載のナビゲーションシステムにおいて、前記位置情報取得手段は、前記携帯端末が存在する位置の情報から利用者の現在位置を取得することを特徴としている。
請求項４に示すように請求項１乃至３のいずれか１に記載のナビゲーションシステムにおいて、前記サーバは、各目的地毎に該目的地の気象情報又は目的地までの交通手段の混雑度を示す交通情報を含む環境情報を逐次取得する手段を含み、前記記憶手段は、前記取得された最新の環境情報を各目的地毎に記憶し、前記処理手段は、前記記憶手段から利用者に適した目的地を選出する条件の１つとして、前記記憶手段に記憶されている最新の環境情報を使用することを特徴としている。
請求項５に示すように請求項１乃至４のいずれか１に記載のナビゲーションシステムにおいて、各目的地には、前記サーバと通信する目的地の端末が設けられており、前記目的地の端末は、目的地とともに目的地情報を前記サーバに送信する第３の送信手段を備え、前記サーバは、前記送信された前記目的地及び目的地情報を受信する第３の受信手段を備え、前記記憶手段は、前記第３の受信手段が受信した前記目的地情報を目的地に関連づけて記憶することを特徴としている。
請求項６に示すように請求項１乃至５のいずれか１に記載のナビゲーションシステムにおいて、前記処理手段は、前記位置情報取得手段によって取得した利用者の現在位置に基づいて当該利用者が所定の時間帯に前記選出した目的地と異なった目的地に存在する場合には、新たに目的地を選出するリルート機能を備えたことを特徴としている。
請求項７に示すように請求項１乃至６のいずれか１に記載のナビゲーションシステムにおいて、前記入力手段は、利用者が利用した目的地の感想を入力する機能を備え、前記記憶手段は、前記入力された感想情報に基づいて、前記目的地情報に含まれる目的地の評価情報を更新することを特徴としている。
【０００９】
請求項８に係る発明は、利用者が所有する携帯端末と、該携帯端末と通信するサーバとからなり、前記サーバから利用者の携帯端末に当該利用者の将来の目的地を通知するナビゲーションシステムに適用されるサーバであって、前記サーバは、予め複数の目的地と、各目的地毎に当該目的地に適する利用者の年齢、性別、嗜好、利用目的、及び目的地の位置等の目的地情報とを関連付けて記憶する記憶手段と、前記携帯端末から利用者の年齢、性別、嗜好、利用者の行動の目的等の利用者情報を受信する受信手段と、利用者の現在位置を取得する位置情報取得手段と、前記受信した利用者情報、前記取得した利用者の現在位置、及び前記記憶手段に記憶されている目的地情報に基づいて、前記記憶手段から前記受信した利用者情報を有する利用者に適した目的地を選出する処理手段であって、前記利用者情報内の利用者の年齢、性別、嗜好、利用者の行動の目的等と、前記目的地情報内の目的地に適する利用者の年齢、性別、嗜好、利用目的等とから利用者最適度評価を目的地別に算出し、前記利用者の現在位置と前記目的地情報内の目的地の位置から移動距離に対する評価を含む環境最適度評価を目的地別に算出し、これらの最適度評価を総合評価した評価値から利用者に適した目的地を選出する処理手段と、前記選出した目的地の位置と前記取得した利用者の現在位置とに基づいて前記目的地への経路、行き方等の案内情報を生成する手段と、前記生成した目的地に案内する案内情報を利用者の携帯端末に送信する送信手段と、を備えたことを特徴としている。
請求項９に示すように請求項８に記載のサーバにおいて、前記処理手段は、複数の目的地が選出された場合に、目的地側がサーバ側に支払う利用料金の額に応じて、前記複数の目的地の中から所定の目的地を選出することを特徴としている。
請求項１０に示すように請求項８又は９に記載のサーバにおいて、前記位置情報取得手段は、前記携帯端末が存在する位置の情報から利用者の現在位置を取得することを特徴としている。
請求項１１に示すように請求項８乃至１０のいずれか１に記載のサーバにおいて、各目的地毎に該目的地の気象情報又は目的地までの交通手段の混雑度を示す交通情報を含む環境情報を逐次取得する手段を含み、前記記憶手段は、前記取得された最新の環境情報を各目的地毎に記憶し、前記処理手段は、前記記憶手段から利用者に適した目的地を選出する条件の１つとして、前記記憶手段に記憶されている最新の環境情報を使用することを特徴としている。
請求項１２に示すように請求項８乃至１１のいずれか１に記載のサーバにおいて、前記処理手段は、前記位置情報取得手段によって取得した利用者の現在位置に基づいて当該利用者が前記選出した目的地に達したことを検知すると、次の目的地を選出し、前記案内情報を生成する手段は、前記次の目的地への案内情報を生成し、前記送信手段は、前記生成した次の目的地に案内する案内情報を利用者の携帯端末に送信することを特徴としている。
【００１０】
【発明の実施の形態】
以下添付図面に従って、本発明に係るナビゲーションシステム及びサーバの好ましい実施の形態について詳説する。
【００１１】
図１に、本発明に係るナビゲーションシステムの構成を示す。
【００１２】
同図によれば、利用者１０に対して将来の目的地２０を案内するナビゲーションシステムは、利用者１０が携行している携帯端末の一形態である携帯電話４０と、利用者１０の利用者情報や目的地２０の情報を記憶しているサーバ９０とから構成されている。
【００１３】
携帯電話４０には、利用者１０自身の年齢、性別又は嗜好等のプロフィールや目的等の利用者情報を入力する入力手段４２、４２…と、目的地２０や経路に関する情報等を表示して利用者１０に案内通知する表示手段４４（通知手段）と、サーバ９０等の他の通信機器と相互に情報の送受信が可能な無線の通信手段４６とが設けられている。
【００１４】
また、サーバ９０には、予め利用者１０の年齢、性別又は嗜好等の利用者情報と関連付けて利用者１０が行動する際の日時、期間、費用、人数、交通手段、評価情報、目的又は環境情報等に応じた目的地２０（「お店」又は「スポット」等）の情報を記憶しているハードディスク等の記憶手段と、前記記憶手段に記憶されている目的地２０の情報の中から利用者１０のプロフィール又は目的等の利用者情報に関連する目的地２０、経路又は行動順序等の行動情報を所定の処理アルゴリズムに基づいて選出する処理手段（サーバ９０がコンピュータである場合には情報処理手段等が該当する）とが設けられている。
【００１５】
またサーバ９０には、携帯電話４０と情報の送受信が可能であるとともに、目的地２０から利用者１０等が目的地２０を利用するのに適した年齢、性別、嗜好又は目的等の利用者情報及び、該利用者情報と関連付けられた利用に際しての日時、期間、費用、人数、交通手段、評価情報、目的、目的地２０が情報を通知してもらうための利用料金等の情報、又は、利用者１０が行動する経路の交通情報又は利用者１０が行動する経路の気象情報等の環境情報等の目的地２０の情報を目的地２０側から受信することが可能な通信手段９６とが設けられている。
【００１６】
図２に、利用者１０が入力する利用者情報のデータベースの例を示す。
【００１７】
同図によれば利用者情報には、利用者１０の氏名、住所、年齢、性別、携帯電話４０の電話番号、現在位置、趣味や趣向に関する情報、利用者１０が希望する旅行や行動の目的等の情報が含まれている。利用者１０は、携帯電話４０の入力手段４２、４２…を操作して行動の目的等を入力すると、携帯電話４０はサーバ９０に対して利用者１０の行動の目的情報を送信する。なお、このとき利用者１０の目的情報とともに、携帯電話４０の記録手段が記録している携帯電話４０の電話番号や利用者１０の氏名等の個人情報を、サーバ９０に送信するようにしてもよい。前記利用者情報を受信したサーバ９０は、該受信した情報を図２に示す形態で記憶手段に記憶する。
【００１８】
また、利用者１０は、予めナビゲーションシステムのサーバ９０に、利用者１０自身の年齢、性別、嗜好等の個人情報を送信して登録しておいてもよい。
【００１９】
なお、利用者１０の現在位置は位置情報取得手段が取得する。例えば位置取得手段は、利用者１０が直接入力した位置情報を携帯電話４０から受信して記憶してもよいし、携帯電話４０の基地局から携帯電話４０の位置情報を取得して記憶してもよいし、携帯電話４０にＧＰＳ（Global Positioning System ）の位置検出機能を設けて携帯電話４０から位置情報を受信して記憶してもよいし、利用者１０が利用中の目的地２０、２０…から利用者１０の位置情報を受信して記憶してもよい。
【００２０】
図３に、目的地情報のデータベースを示す。
【００２１】
同図によれば目的地情報には、各目的地２０、２０…の名称と、各目的地２０、２０…の住所や最寄りの駅名等の位置情報と、嗜好又はジャンルの情報と、推奨する利用者１０の適応年齢層情報と、利用の価格帯情報と、以前に利用した人から得た感想等の利用者評価（感想情報）と、目的地２０、２０…が推奨する利用目的例情報と、同じく推奨する利用時間帯情報、人数情報等の情報が含まれている。
【００２２】
これらの年齢、性別、嗜好又は目的等の利用者情報及び、該利用者情報と関連付けられた利用に際しての日時、期間、費用、人数、交通手段、評価情報又は目的等に応じた目的地２０、２０…の情報は、サーバ９０に設けられている通信手段９６（受信手段）が情報を受信して記憶手段に記憶する。
【００２３】
また、図３に示される利用者評価情報は、以前に該当する目的地を利用した利用者１０が携帯電話４０を介して入力し、該入力した情報が携帯電話４０からサーバ９０に送信されて、サーバ９０の情報処理手段が集計したフィードバック情報である。また、目的地２０、２０…は、混雑状況、タイムサービス情報などを随時加味することにより、目的地２０、２０…のデータベースは随時変更され、リアルタイムな情報提供を可能にしている。
【００２４】
なお、目的地２０の他の具体例として、商店、観光スポット、映画館、コンサート会場、イベント会場、劇場、ゴルフ場、スキー場、温泉、遊園地等が挙げられる。
【００２５】
図４に、目的地２０、２０…等が発信する環境情報データベースを示す。
【００２６】
同図によれば、環境情報には、各目的地２０、２０…における季節、気温、天候、混雑情報、交通情報等の環境項目が記録されている。これらの環境情報は、各目的地２０、２０…が時々刻々の最新情報を自動的にサーバ９０に送信して、サーバ９０の環境情報データベースが更新される。
【００２７】
図５に、所定のアルゴリズムによって算出した利用者１０に通知する目的地の算出結果例を示す。
【００２８】
利用者１０が携帯電話４０の入力手段４２、４２…を介して利用者１０自身の年齢、性別、嗜好等のプロフィール又は行動の目的、行動に際しての予算、行動の日時等を入力して、通信手段４６を介してサーバ９０の通信手段９６に送信する。該プロフィール又は行動の目的等の情報を受信したサーバ９０の情報処理手段は、該受信した情報を利用者情報データベースに記録する。そして、該更新した利用者情報データベースと、目的地データベースと、環境情報データベースとを総合評価して、情報処理手段は登録されている多数の目的地の中から問い合わせのあった利用者１０に最適な目的地２０、２０…を選出する。
【００２９】
同図によれば目的地２０、２０…の算出結果には、目的地２０、２０…と、利用者最適度評価と、環境最適度評価と、目的地情報と、評価値とが示されている。該選出された目的地のコースメニューは、通信手段９６を介して利用者１０側の携帯電話４０に送信される。
【００３０】
該目的地のコースメニューを通信手段４６を介して受信した携帯電話４０は、受信した目的地のコースメニューを表示手段４４に表示して、利用者１０に通知する。
【００３１】
図６に、利用者１０が実際にナビゲーションシステムを利用する際のフローチャートを示す。
【００３２】
利用者１０が携帯電話４０の入力手段４２、４２…を介して行動の目的行為や目的地に関する、予算、時間、交通手段等の情報を入力する。例えばここで利用者が「海のドライブ・デートコース」の目的情報を入力したとする。利用者が入力した目的情報は、「開始」の情報とともに携帯電話４０の通信手段４６からサーバ９０の通信手段９６に送信される。
【００３３】
サーバ９０では、その時点で各種データベースに記憶されている全ての情報に基づいて、利用者１０の嗜好、現在位置と交通の混雑状況、時間、天候、行き先の混雑状況などを加味して次の目的地（場所、行き方、目的地の紹介）を１乃至複数選出する。サーバ９０は、その複数の目的地２０、２０…に関する「コースメニュー」情報を携帯電話４０に送信して表示手段４４に表示させ、利用者１０に通知して案内する。
【００３４】
利用者１０は、表示されている１乃至複数の目的地２０、２０…の情報の中から所望の目的地２０（観光スポット、お店等）を選択する。すると携帯電話４０からサーバ９０には「コース選択」情報が送信される。利用者が選択した目的地２０に関する情報を受信したサーバ９０は、選択された目的地２０に対して最新の状況の通知を要求する「状況問い合わせ」情報を送信する。
【００３５】
該「状況問い合わせ」情報を受信した目的地２０（お店）では、現在の最新のタイムサービス情報や混雑状況等の「フィードバック」情報をサーバ９０に対して応答する。
【００３６】
該「フィードバック」情報を受信したサーバ９０は、該受信した「フィードバック」情報に基づいた目的地２０の「（お店）ガイド１」を携帯電話４０に送信して、表示手段４４に表示させる。該目的地の情報を通知された利用者１０は、表示されている案内に基づいて行動（海へ行く等）し、目的地２０に到着して時間を過ごす。
【００３７】
本実施例のように、海へ行くという目的に対応した目的地２０を選出した結果、途中の経路の一部が混雑しているという環境情報をサーバ９０が認識している場合には、サーバ９０の情報処理手段は利用者が目的へ到着する途中の経路で混雑を避けるために、食事や他の観光スポットを紹介するようにしてもよい。
【００３８】
また、利用者に経路を通知するに際して、ウィザードのようにブラックボックス的な表示方法を用いてもよい。また、利用者１０が、携帯電話４０の表示手段４４に表示されている案内情報に従いたくない場合には、特に指示に従う必要はない。サーバ９０の情報処理手段は、利用者１０が表示されている情報に従わない場合、例えば利用者が所定の時間帯に前回通知した行動情報と異なった目的地２０、２０…に存在する場合には、新たに目的地又はルート（行動順序等）の行動情報を所定のアルゴリズムに基づいて選出して再び利用者に対して通知する「リルート」機能を備えていてもよい。
【００３９】
また、表示手段４４に表示された目的地２０が利用者の意向にそぐわない場合には、利用者１０の指示に基づいてトップメニューに戻るなどして別の目的地２０、２０…の選出を行ってもよい。
【００４０】
このようにして利用者１０は、携帯電話４０の表示手段４４に表示されている案内に従って次々と目的地に到着し、目的（水泳、飲食、ショッピング、観光等）を果たし、サーバ９０に対して次の目的地の案内を要求する。その際に、サーバ９０は利用者１０に目的の状況、感想などの評価情報の入力を要求して、サーバ９０の目的地情報（満足度ランキング等の情報の作成等）を充実させてもよい。
【００４１】
利用者が満足度等の情報を携帯電話４０を介して入力すると、該「感想フィードバック」の情報はサーバ９０に送信されて利用者評価値が算出され、記憶手段に記憶される。そして、次の目的地２０に関する案内がサーバから携帯電話４０に送信される。
【００４２】
上記のようにして、次々と次の目的地の案内を通知されることにより、利用者１０は所定の目的を達成することが可能となる。所望の行動が終了して、利用者が該ナビゲーションシステムの利用を終了する場合には、入力手段４２、４２…を介して入力された「終了」情報はサーバ９０に送信され、一連のナビゲーションシステムの処理を終了する。
【００４３】
なお、目的地のデータベースに記憶される営利目的の目的地２０、２０…（お店など）から通知のための利用料金（掲載料金）を収集することにより、目的地２０の選出結果が僅差の場合はより多くの利用料金を支払っている他の目的地を優先して選出するナビゲーションシステムとしてもよい。また、利用料金の収集方法として、実際に利用があった目的地２０、２０…からのみ紹介料等の利用料金を受け取るようにしてもよい。
【００４４】
また、観光スポット等の各目的地２０、２０…で記念写真をサービス提供者側が撮影し、利用者に撮影した画像を提供するようにしてもよい。また、スタンプラリーのように全ての目的地２０、２０…における写真が全てそろうと利用者に対する特典があるなど、ゲーム的要素を取り入れてもよい。また、目的地を記載した行動地図とともに、撮影した写真を最後の店でプリントとして利用者に渡すような、オリエンテーリングの要素を取り入れてもよい。
【００４５】
なお、上記の実施の形態では、目的地の情報を記憶する記憶手段及び行動情報を所定の処理アルゴリズムに基づいて算出する処理手段をサーバ９０に設けた例で説明したが、本発明はこれに限定されるものではなく、携帯電話４０に設けても本発明の目的を達成することが可能である。
【００４６】
【発明の効果】
以上説明したように本発明によれば、利用者の年齢、性別、嗜好、利用者の行動の目的等の利用者情報を、利用者が所有する携帯端末からサーバに送信すると、その利用者情報及び利用者の現在位置に適した目的地が自動的に選出され、その目的地に案内する案内情報を利用者の携帯端末を通じて受け取ることができる。これにより、利用者は、サーバから受け取る案内情報に基づいて行動するだけで利用者に適した目的地に到達することができる。
【図面の簡単な説明】
【図１】本発明に係るナビゲーションシステムの構成を示す図
【図２】利用者が入力した利用者情報データベースを示す図表
【図３】目的地情報データベースを示す図表
【図４】目的地が発信する環境情報データベースを示す図表
【図５】所定のアルゴリズムによって算出した目的地を示す図表
【図６】利用者がナビゲーションシステムを利用する際のフローチャート
【符号の説明】
１０…利用者、４０…携帯電話、４２…入力手段、４４…表示手段、４６…通信手段、９０…サーバ、９６…通信手段
【図１】
0004718018.tif 000002
【図２】
0004718018.tif 000003
【図３】
0004718018.tif 000004
【図４】
0004718018.tif 000005
【図５】
0004718018.tif 000006
【図６】
0004718018.tif 000007